(57)【要約】【課題】  電子機器筐体上にセンサの種類を示すマークを付す必要がなく、且つ、センサの近傍に当該センサの種類を示すマークを付すことができる電子機器及び状況通信装置を提供すること。【解決手段】  状況通信装置１は、平面視、筐体２の上部の内面の左側方に光センサ１５が固定された回路基板３５が図示外のブラケットにより固定され、当該回路基板３５には、光センサ１５を示す発光状態を図示したマーク３６が付されている。また、平面視、筐体２の内面の上部の右側方に心拍センサ１４が固定された回路基板３４が図示外のブラケットにより固定され、当該回路基板３４には、心拍センサを示すハート形のマーク３３が付されている。なお、他のモジュール（各種センサや各種アクチュエータ）は、図示していないが、光センサ１５や心拍センサ１４と同様に筐体２内に固定されている。【選択図】  図１
2007047099.tif 000002
【特許請求の範囲】
【請求項１】
筐体の内部に、使用者に関する生体情報又は周辺環境に関する環境情報を計測するセンサが設けられたセンサ固定部材を備え、
前記センサ固定部材上で、前記筐体の外部から見える位置、且つ、前記センサの近傍に、当該センサの種類を示すマークを付したことを特徴とする電子機器。
【請求項２】
前記筐体は、少なくとも一部が光透過性部材から構成され、
当該筐体における光透過性部材の部分に対して前記センサ固定部材が設けられていることを特徴とする請求項１に記載の電子機器。
【請求項３】
前記筐体内には、当該電子機器の主制御を司る制御回路が設けられた主基板を備え、
前記センサ固定部材は、回路基板であり、
当該回路基板の前記筐体に近接した側の面に前記センサを設け、
当該センサから前記主基板に接続される配線は、前記センサが設けられた回路基板の面の裏面から前記主基板に向けて延設されていることを特徴とする請求項１又は２に記載の電子機器。
【請求項４】
前記マークは、前記回路基板上への印刷、前記回路基板に形成された貫通孔、前記回路基板の厚さを薄くした薄部の何れかにより形成されていることを特徴とする請求項３に記載の電子機器。
【請求項５】
前記センサと前記主基板との接続は、前記回路基板上で、前記センサから前記回路基板が前記主基板に近接した位置までは配線パターンを形成し、
当該配線パターンの端部から前記主基板に向けて、リード線で配線をすることを特徴とする請求項３又は４に記載の電子機器。
【請求項６】
前記貫通孔及び前記薄部を通じて前記筐体の外部に光を放出する光源を、前記筐体の外部から前記回路基板を見た場合の前記回路基板の裏面側に設けたことを特徴とする請求項４又は５に記載の電子機器。
【請求項７】
前記回路基板と前記光源との間に、透光性を有する光拡散部材を設けたことを特徴とする請求項６に記載の電子機器。
【請求項８】
前記回路基板と前記光源との間に、カラーフィルタを設けたことを特徴とする請求項６に記載の電子機器。
【請求項９】
前記回路基板は、フレキシブル回路基板であり、
当該フレキシブル回路基板上に、少なくとも１つのセンサを配置したことを特徴とする請求項３乃至８の何れかに記載の電子機器。
【請求項１０】
前記光源の発光態様を前記センサの検出値に基づいて制御する第１発光制御手段を設けたことを特徴とする請求項６乃至９の何れかに記載の電子機器。
【請求項１１】
請求項１乃至１０の何れかに記載の電子機器を備えた状況通信装置であって、
前記センサにより計測された計測情報又は当該計測情報に基づく情報を送信する送信手段と、
前記他の状況通信装置から送信される当該他の状況通信装置に設けられたセンサが計測した計測情報又は当該計測情報に基づく情報を受信する受信手段と、
当該受信手段が受信した情報に応じて前記光源の発光態様を制御する第２発光制御手段と
を備えたことを特徴とする状況通信装置。
【発明の詳細な説明】
【技術分野】
【０００１】
本発明は、電子機器及び状況通信装置に関するものであり、詳細には、各種センサを具備した電子機器及び状況通信装置に関するものである。
【背景技術】
【０００２】
従来、他人とコミュニケーションをとる手段として、電話機などの通話装置で会話するという手段が一般的に行われている。このような通話装置において、通話相手とのコミュニケーションをより高めるために通話装置にキャラクタを表示する表示部を設け、使用者本人と通話相手のキャラクタを表示部に表示する通話装置が知られている（例えば、特許文献１参照）。この通話装置では、さらに使用者の体温や心拍、携帯機器を握る握力等の変化を検知して、より確実に感情推定を行うことが提案されている。
【特許文献１】特開２００３−２４８８４１号公報
【発明の開示】
【発明が解決しようとする課題】
【０００３】
ところで、特許文献１に記載の発明のように、各端末の使用者の感情や状況などを相手方の端末に伝達する電子機器では、各使用者に関する生体情報又は周辺環境に関する環境情報を各種センサで検出するとともに、各使用者の感情や状況などを各種アクチュエータで報知している。ここで、これらの各種センサの配置されている位置を使用者に知らせるためには、当該電子機器の筐体に設けられているセンサ、あるいはアクチュエータの近くに目印となる文字や記号をマーキングする必要があった。この場合、筐体にマークを印刷すると、手が触れることによりマークが消え易くなるという問題点があった。また、筐体にマークを彫り込むと、マークの筐体への加工が複雑になるという問題点があった。さらに、センサやアクチュエータの位置が筐体に対して移動する場合には、マークを筐体に付しても意味を成さなくなるという問題点があった。
【０００４】
本発明は、上記課題を解決するためになされたものであり、電子機器筐体上にセンサの種類を示すマークを付す必要がなく、且つ、センサの近傍に当該センサの種類を示すマークを付すことができる電子機器及び状況通信装置を提供することを目的とする。
【課題を解決するための手段】
【０００５】
上記目的を達成するために、請求項１に係る発明の電子機器は、筐体の内部に、使用者に関する生体情報又は周辺環境に関する環境情報を計測するセンサが設けられたセンサ固定部材を備え、前記センサ固定部材上で、前記筐体の外部から見える位置、且つ、前記センサの近傍に、当該センサの種類を示すマークを付したことを特徴とする。
【０００６】
また、請求項２に係る発明の電子機器は、請求項１に記載の発明の構成に加え、前記筐体は、少なくとも一部が光透過性部材から構成され、当該筐体における光透過性部材の部分に対して前記センサ固定部材が設けられていることを特徴とする。
【０００７】
また、請求項３に係る発明の電子機器は、請求項１又は２に記載の発明の構成に加え、前記筐体内には、当該電子機器の主制御を司る制御回路が設けられた主基板を備え、前記固定部材は、回路基板であり、当該回路基板の前記筐体に近接した側の面に前記センサを設け、当該センサから前記主基板に接続される配線は、前記センサが設けられた回路基板の面の裏面から前記主基板に向けて延設されていることを特徴とする。
【０００８】
また、請求項４に係る発明の電子機器は、請求項３に記載の発明の構成に加え、前記マークは、前記回路基板上への印刷、前記回路基板に形成された貫通孔、前記回路基板の厚さを薄くした薄部の何れかにより形成されていることを特徴とする。
【０００９】
また、請求項５に係る発明の電子機器は、請求項３又は４に記載の発明の構成に加え、前記センサと前記主基板との接続は、前記回路基板上で、前記センサから前記回路基板が前記主基板に近接した位置までは配線パターンを形成し、当該配線パターンの端部から前記主基板に向けて、リード線で配線をすることを特徴とする。
【００１０】
また、請求項６に係る発明の電子機器は、請求項４又は５に記載の発明の構成に加え、前記貫通孔及び前記薄部を通じて前記筐体の外部に光を放出する光源を、前記筐体の外部から前記回路基板を見た場合の前記回路基板の裏面側に設けたことを特徴とする。
【００１１】
また、請求項７に係る発明の電子機器は、請求項６に記載の発明の構成に加え、前記回路基板と前記光源との間に、透光性を有する光拡散部材を設けたことを特徴とする。
【００１２】
また、請求項８に係る発明の電子機器は、請求項６に記載の発明の構成に加え、前記回路基板と前記光源との間に、カラーフィルタを設けたことを特徴とする。
【００１３】
また、請求項９に係る発明の電子機器は、請求項３乃至８の何れかに記載の発明の構成に加え、前記回路基板は、フレキシブル回路基板であり、当該フレキシブル回路基板上に、少なくとも１つのセンサを配置したことを特徴とする。
【００１４】
また、請求項１０に係る発明の電子機器は、請求項６乃至９の何れかに記載の発明の構成に加え、前記光源の発光態様を前記センサの検出値に基づいて制御する第１発光制御手段を設けたことを特徴とする。
【００１５】
また、請求項１１に係る発明の状況通信装置は、請求項１乃至１０の何れかに記載の電子機器を備えた状況通信装置であって、前記センサにより計測された計測情報又は当該計測情報に基づく情報を送信する送信手段と、前記他の状況通信装置から送信される当該他の状況通信装置に設けられたセンサが計測した計測情報又は当該計測情報に基づく情報を受信する受信手段と、当該受信手段が受信した情報に応じて前記光源の発光態様を制御する第２発光制御手段とを備えたことを特徴とする。
【発明の効果】
【００１６】
請求項１に係る発明の電子機器では、筐体の内部に、使用者に関する生体情報又は周辺環境に関する環境情報を計測するセンサが設けられたセンサ固定部材を備え、前記センサ固定部材上で、前記筐体の外部から見える位置、且つ、前記センサの近傍に、当該センサの種類を示すマークを付しているので、筐体の外部からセンサ固定部材に付されたマークを目視可能であり、当該マークによりそのマークの近傍に設けられているセンサの種類を容易に識別可能である。
【００１７】
また、請求項２に係る発明の電子機器では、請求項１に記載の発明の効果に加え、筐体の少なくとも一部が光透過性部材から構成されているため、当該筐体を通して、筐体における光透過性部材の部分に対して設けられたセンサ固定部材に付されたマークを目視することができる。
【００１８】
また、請求項３に係る発明の電子機器では、請求項１又は２に記載の発明の効果に加え、センサから電子機器の主制御を司る制御回路が設けられた主基板に接続される配線は、センサが設けられた回路基板の面の裏面から前記主基板に向けて延設されているので、配線が筐体の外部から目視されにくい。従って、美観を損なうことがない。
【００１９】
また、請求項４に係る発明の電子機器では、請求項３に記載の発明の効果に加え、マークは、回路基板上への印刷、回路基板に形成された貫通孔、回路基板の厚さを薄くした薄部の何れかにより形成されるので、回路基板に容易にマークを付すことができる。
【００２０】
また、請求項５に係る発明の電子機器では、請求項３又は４に記載の発明の効果に加え、センサと主基板との接続は、回路基板上で、センサから回路基板が主基板に近接した位置までは配線パターンを形成し、当該配線パターンの端部から主基板に向けて、リード線で配線をするので、配線を短くできる。また、回路基板の影になり、配線が外部から目視されにくい。従って、美観を損なうことがない。
【００２１】
また、請求項６に係る発明の電子機器では、請求項４又は５に記載の発明の効果に加え、回路基板の貫通孔及び薄部を通じて筐体の外部に光を放出する光源を、筐体の外部から回路基板を見た場合の回路基板の裏面側に設けているので、貫通孔及び薄部を光源が照らして、マークを光により浮かび上がらせることができる。従って、マークを光により表示することができる。
【００２２】
また、請求項７に係る発明の電子機器では、請求項６に記載の発明の効果に加え、回路基板と前記光源との間に、透光性を有する光拡散部材が設けられているので、光源が発光していなくても、貫通孔又は薄部を介して、光拡散部材によりマークを判別できる。
【００２３】
また、請求項８に係る発明の電子機器では、請求項６に記載の発明の効果に加え、回路基板と光源との間に、カラーフィルタを設けたので、貫通孔及び薄部を照らす光がカラーフィルタの色となり、マークをカラーフィルタの色の光により美しく、浮かび上がらせることができる。
【００２４】
また、請求項９に係る発明の電子機器では、請求項３乃至８の何れかに記載の発明の効果に加え、回路基板は、少なくとも１つのセンサを配置しているフレキシブル回路基板であるので、回路基板を筐体の内面に沿って撓ませて配置することができる。また、複数のセンサも当該フレキシブル回路基板に設けることができる。
【００２５】
また、請求項１０に係る発明の電子機器では、請求項６乃至９の何れかに記載の発明の効果に加え、第１発光制御手段が光源の発光態様をセンサの検出値に基づいて制御するので、センサの検出値に基づいて光源を発光させて、マークを光により美しく、浮かび上がらせることができる。
【００２６】
また、請求項１１に係る発明の状況通信装置では、送信手段がセンサにより計測された計測情報又は当該計測情報に基づく情報を送信し、受信手段が、他の状況通信装置から送信される当該他の状況通信装置に設けられたセンサが計測した計測情報又は当該計測情報に基づく情報を受信することができる。従って、第２発光制御手段が前記受信手段が受信した情報に応じて光源の発光態様を制御することができるので、他の状況通信装置の状態によって、こちら側の状況通信装置の光源を発光させて、マークを光により美しく、浮かび上がらせることができる。
【発明を実施するための最良の形態】
【００２７】
以下、本発明の第１の実施の形態に係る電子装置としての状況通信装置１を説明する。図１は、状況通信装置１の平面図であり、図２は、状況通信装置１の電気的構成を示すブロック図であり、図３は、図１のＡ−Ａ線に於ける矢視方向断面図である。なお、図１における下方向が状況通信装置１の正面方向とし、図１における上方向が状況通信装置１の背面方向とする。
【００２８】
図１に示すように、状況通信装置１の筐体２は光透過性部材（一例として透明の合成樹脂部材）から構成された略球形状に形成されている。この筐体２は人の手に握られる程度のサイズ、即ち、直径５〜１０ｃｍ程度である。なお、本実施の形態では、筐体２の下端部が重力方向（下方向）を向いている姿勢を、状況通信装置１の基本姿勢とする（図３参照）。
【００２９】
図２に示すように、状況通信装置１では、使用者に関する生体情報及び周辺環境に関する環境情報（以下、これらを計測値という）が各種センサ１１〜１９により収集され、その計測値に基づく情報が決定される。なお、各種センサ１１〜１９の詳細については後述する。ここで、生体情報とは、状況通信装置１を用いている使用者から計測された情報といい、環境情報とは状況通信装置１の周辺環境から計測された情報という。例えば、後述の温度センサ１３において、状況通信装置１を握っている使用者から計測された体温は生体情報に該当し、状況通信装置１の周辺環境から計測された気温は環境情報に該当する。
【００３０】
そして、状況通信装置１は、近隣に存在する他の状況通信装置１と通信可能であり、各種センサ１１〜１９から収集された計測値やその計測値に基づいて決定された情報等を送受信する。各種アクチュエータ２１〜２７では、他の状況通信装置１から受信した情報に基づいて動作が実行され、他の使用者の感情や状況が表現される。このように、各状況通信装置１は各使用者の感情や状況を相互に伝達しあって、状況通信装置１を所持している人間同士のコミュニケーションを図ることができる。
【００３１】
また、携帯電話網又はＰＨＳ電話網等の移動通信網の基地局３に接続可能であり、この基地局３を介してインターネット４に接続可能であり、インターネット４上のサービス提供サーバに接続することにより、種々のサービスを利用することができる。また、状況通信装置１は、パーソナルコンピュータ（以下、ＰＣと呼ぶ）５にケーブルを用いて接続可能であり、ＰＣ５からデータを取り込んだり、ＰＣ５へデータを送り込んだりすることができ、さらに、ＰＣ５もインターネット４に接続可能である。
【００３２】
そして、図２に示すように、状況通信装置１には、その制御を司るＣＰＵ１０，ＲＯＭ２０，ＲＡＭ３０，時間を計測する計時装置４０，他の状況通信装置１と送受信するための送受信部５０（「送信手段」及び「受信手段」に相当する），無線通信網の基地局３と通信するための通信部６０，各種モジュールを接続するためのＩ／Ｏインタフェイス７０等を備えた主基板１１０が設けられている。送受信部５０と通信部６０とが、外部機器との通信を行う通信ユニット１２０を構成する。そして、主基板１１０（図３参照）ではバス８０を介して、ＲＯＭ２０，ＲＡＭ３０，計時装置４０，通信ユニット１２０，Ｉ／Ｏインタフェイス７０が、ＣＰＵ１０に接続されている。なお、電源供給用のバッテリーを内蔵した電源部１００がＩ／Ｏインタフェイス７０に接続されており、状況通信装置１は電源部１００により電源供給されている。
【００３３】
また、状況通信装置１は、各種センサ１１〜１９が接続されるＡＤ変換器９０と、各種アクチュエータ２１〜２７を差し込むための拡張ポート９１とを具備している。ＡＤ変換器９０はＩ／Ｏインタフェイス７０及びバス８０を介してＣＰＵ１０に接続しており、各種センサ１１〜１９から入力されるアナログデータの計測値が、ＡＤ変換器９０によりデジタルデータに変換されて主基板１１０に入力される。拡張ポート９１もＩ／Ｏインタフェイス７０及びバス８０を介してＣＰＵ１０に接続しており、主基板１１０（図３参照）から出力されるデジタルデータの指示信号が、拡張ポート９１を介して各種アクチュエータ２１〜２７に入力される。そして、各種センサ１１〜１９はＡＤ変換器９０において着脱，追加，交換などが可能であり、各種アクチュエータ２１〜２７は拡張ポート９１において着脱，追加，交換などが可能である。
【００３４】
なお、曲げセンサ１１は、歪ゲージを用いて状況通信装置１の表面の歪み具合を計測する。加速度センサ１２は、静電容量の変化、圧電セラミック等を利用する加速度センサであり、状況通信装置１の動き（状況通信装置１にかかった加速度とその方向）を計測する。温度センサ１３は、白金測温抵抗体、サーミスタ、熱電対などを用いている、所謂温度計であり、状況通信装置１の周囲の温度及び装置に触れている手のひらや指の温度を計測する。心拍センサ１４は所謂感圧センサである。そして、血流の圧力を計測して触れている人の心拍（脈拍数）を計測する。また、心拍センサ１４として所謂赤外線センサを設け、血液の膨張収縮による距離の差分を検出して、状況通信装置１に触れている人の心拍（脈拍数）を計測してもよい。光センサ１５は、フォトトランジスタやＣｄＳ等を利用した光の強さを計測するセンサである。
【００３５】
感圧センサ１６は、所謂圧力センサであり、導電性ゴムに定抵抗を直列接続し、ある電圧をかけて導電性ゴムの分圧値を測定することにより状況通信装置１にかかった圧力を計測する。湿度センサ１７は、セラミックスや高分子を用いて状況通信装置１の周りの空気中の水分量を計測する。匂いセンサ１８は、所謂ガスセンサと同様に、半導体薄膜を用いて電気抵抗の変化などから匂いを計測する。マイク１９は音声等、状況通信装置１の周囲の音を入力する。尚、感圧センサ１６、湿度センサ１７や匂いセンサ１８等のセンサは、必要に応じて、筐体２に設けられた図示外の孔から筐体２の表面に頭部を出して固定されている。
【００３６】
また、ＬＥＤ２１は種々の色や明るさで点灯する。フラッシュランプ２２は種々の強さで点滅等の発光を行う。モーター２３は状況通信装置１を振動させる。ヒーター２４は状況通信装置１の表面を低温（使用者が暖かさを感じ、やけどをしない温度）で熱する。スピーカー２５は音声を出力する。匂い発生部２７は、あらかじめ芳香剤が封入された箱状部材の蓋を開閉して匂いを発生させる。また、筐体２には、ＵＳＢポート７５が設けられており、ＵＳＢポート７５はバス８０に接続されており（図２参照）、このＵＳＢポート７５にＵＳＢケーブルを接続することにより、ＰＣ５と接続することができる。
【００３７】
そして、図１に示すように、本実施の形態に係る状況通信装置１は、平面視、筐体２の上部の内面の左側方に光センサ１５が固定された回路基板３５（「センサ固定部材」に相当）が図示外のブラケットにより固定され、当該回路基板３５には、光センサ１５を示す発光状態を図示したマーク３６が付されている。また、平面視、筐体２の内面の上部の右側方に心拍センサ１４が固定された回路基板３４（「センサ固定部材」に相当）が図示外のブラケットにより固定され、当該回路基板３４には、心拍センサを示すハート形のマーク３３が付されている。なお、他のモジュール（各種センサや各種アクチュエータ）は、図示していないが、光センサ１５や心拍センサ１４と同様に筐体２内に固定されている。
【００３８】
なお、状況通信装置１には、パーソナルコンピュータのようなキーボードは設けられていない。そこで、状況通信装置１の各種センサ１１〜１９が検知した情報を所定の動作を指示する指示入力として予め登録しておき、使用者が状況通信装置１を握ってジェスチャ（所定回数振る、握る等）を行うことにより動作の指示ができるようになっている。
【００３９】
次に、状況通信装置１の筐体構造と各種センサの配置について説明する。図３は、状況通信装置１を側面方向からみた断面図である。なお、以下では理解を容易にするために、本発明の説明に必要な構成のみを図示し、例えば各種センサ１１〜１９のうちで、一例として、心拍センサ１４及び光センサ１５のみを図示して、具体的に説明するが、他のセンサも心拍センサ１４及び光センサ１５と同様に設けられている。
【００４０】
図３に示すように、状況通信装置１の筐体２は、数ｍｍの厚み（例えば、５ｍｍ厚）の光透過性部材（一例として透明性を有する合成樹脂、例えば、ポリカーボネイトやアクリル）で球状に構成されており、その内部には球形の密閉空間が形成されている。そして、その筐体２内には、各種センサ１１〜１９と、各種アクチュエータ２１〜２７と、電源部１００と、主基板１１０と、これらが接続される電気回路が形成された回路基板３４，３５などが設けられている。
【００４１】
図１及び図３に示すように、回路基板３４は、筐体２内の上側半分（筐体２における上半球）の右側部に水平線に対して斜めになるように筐体２の内面に沿って図示外のブラケットにより固定されている。また、回路基板３５は、筐体２内の上側半分（筐体２における上半球）の左側部に水平線に対して斜めになるように筐体２の内面に沿って図示外のブラケットにより固定されている。尚、主基板１１０は、筐体２内の中央部に水平に固定されている。
【００４２】
回路基板３４の上面には、心拍センサ１４が設けられ、この心拍センサ１４の近傍の回路基板３４の上面には、心拍センサ１４を示すハート形のマーク３３が付されている。このマーク３３は後述するように印刷、貫通孔、回路基板３４の厚さを薄くした薄部の何れかで形成されている。また、図３に示すように、回路基板３４の裏面（心拍センサ１４の設けられた面の裏面）からは、心拍センサ１４と主基板１１０とを接続するリード線からなる配線３２が主基板１１０に向けて延設されている。
【００４３】
また、回路基板３５の上面には、光センサ１５が設けられ、この光センサ１５の近傍の回路基板３５の上面には、光センサ１５を示す発光状態を図示したマーク３６が付されている。このマーク３６も後述するように印刷、貫通孔、回路基板３５の厚さを薄くした薄部の何れかで形成されている。また、図３に示すように、回路基板３５の裏面（光センサ１５の設けられた面の裏面）からは、光センサ１５と主基板１１０とを接続するリード線からなる配線３７が主基板１１０に向けて延設されている。
【００４４】
尚、上記心拍センサ１４及び光センサ１５以外の他のセンサ類やアクチュエータ類も心拍センサ１４及び光センサ１５と同様な方法で図示外の回路基板に設けられ、そのセンサやアクチュエータを表すマークが当該センサが設けられた回路基板上に各々設けられている。
【００４５】
ここで、図１に示すように、筐体２は透明性を有する合成樹脂で形成されているから、使用者が状況通信装置１を上方から見ると回路基板３４に付されたマーク３３及び回路基板３５に付されたマーク３６を視認可能である。なお、他の回路基板も図示しないが、同様に回路基板に付されたマークを視認可能である。この場合に、回路基板３４には、ハート形のマーク３３が図示されているので、マーク３３の傍にあるセンサ１４が心拍センサであることが使用者に容易に理解される。また、回路基板３５には、光を発光している状態の図柄のマーク３６が図示されているので、マーク３６の傍にあるセンサ１５が光センサであることが使用者に容易に理解される。
【００４６】
次に、図４乃至図６を参照して、回路基板に設けられるマークの構造の詳細を説明する。図４は、マーク３６が印刷で形成された場合の回路基板３５の縦断面図であり、図５は、マーク３６が貫通孔で形成された場合の回路基板３５の縦断面図であり、図６は、マーク３６が薄部で形成された場合の回路基板３５の縦断面図である。以下の例では、光センサ１５が設けられた回路基板３５を例に説明するが、他のセンサやアクチュエータが設けられた回路基板でもマークは、回路基板３５と同様に印刷、貫通孔及び薄部の何れかで形成されている。
【００４７】
先ず、マーク３６を印刷で形成する場合を図４を参照して説明する。図４に示すように、光センサ１５が設けられた回路基板３５の上面側の面で、光センサ１５の近傍に、印刷で、当該光センサ１５が、光センサであることを示す光を発光している状態の図柄の印刷部３６Ａを形成する。この印刷方法の一例としては、シルクスクリーンやインクジェット方式の他、スタンプ等の各種印刷方法の何れでもよい。
【００４８】
次に、マーク３６を貫通孔で形成する場合を図５を参照して説明する。図５に示すように、光センサ１５が設けられた回路基板３５の光センサ１５の近傍に、当該光センサ１５が、光センサであることを示す光を発光している状態の図柄の貫通孔３６Ｂを穿設する。この貫通孔３６Ｂの穿設方法の一例としては、金型を用いて打ち抜き、工作機械を用いた切削等の各種の穿孔方法を用いることができる。
【００４９】
次に、マーク３６を薄部３６Ｃで形成する場合を図６を参照して説明する。図６に示すように、光センサ１５が設けられた回路基板３５の光センサ１５の近傍に、当該光センサ１５が、光センサであることを示す光を発光している状態の図柄の薄部３６Ｃを形成する。この薄部３６Ｃの形成方法の一例としては、工作機械を用いた切削行い、薄部３６Ｃを残すように切削する。尚、薄部３６Ｃの厚みは、後述する光源としてのフラッシュランプ２２の光が透過する程度の厚みにすればよい。また、回路基板３５における筐体に対向する面を切削して薄部３６Ｃを形成したが、回路基板３５における筐体に対向する面の裏側を切削して薄部を形成してもよい。
【００５０】
以上説明したように、マーク３６は、印刷部３６Ａ、貫通孔３６Ｂ、薄部３６Ｃの何れの方法で形成しても、状況通信装置１の使用者は、筐体２を透過して、当該マーク３６を目視することにより、そのマーク３６の近傍に設けられているセンサが光センサ１５であることを容易に理解できる。尚、他のセンサやアクチュエータが設けられている回路基板についても上記同様のマークが付されており、そのマークを目視した使用者は、そのセンサやアクチュエータが何か容易に理解できる。
【００５１】
次に、図７を参照して、本発明の第２の実施の形態について説明する。図７は、本発明の第２の実施の形態の状況通信装置１の光センサ１５が設けられた回路基板３５の縦断面図である。この第２の実施の形態では、回路基板３５の裏面側（光センサ１５の設けられた面の裏側）の下方に、発光手段であるフラッシュランプ２２が設けられた回路基板４２が設けられている点以外は、上記第１の実施の形態の状況通信装置１と同様の構造である。
【００５２】
この本発明の第２の実施の形態では、図７に示すように、フラッシュランプ２２が設けられた回路基板４２が回路基板３５と平行に所定間隔を空けて図示外のブラケットにより固定されている。この回路基板４２上に設けられたフラッシュランプ２２は、回路基板３５のマーク３６が形成されている位置に対向するように回路基板４２の回路基板３５に対向した面上に設けられている。
【００５３】
この第２の実施の形態では、回路基板３５のマーク３６が貫通孔３６Ｂで形成されている場合は、フラッシュランプ２２が発光することによって、貫通孔３６Ｂを光が通過して、マーク３６が美しく光ることになる。
【００５４】
また、回路基板３５のマーク３６が薄部３６Ｃで形成されている場合は、フラッシュランプ２２が発光することによって、光が薄部３６Ｃを透過してマーク３６が美しく光ることになる。
【００５５】
尚、上記構成の状況通信装置１では、光センサ１５からの検出値のデータは、ＡＤ変換器９０を介してデジタル信号化されてＩ／Ｏインタフェイス７０に入力され、バス８０を介してＣＰＵ１０に入力される。そして、ＣＰＵ１０は、光センサ１５からの検出値に基づいて、フラッシュランプ２２やＬＥＤ２１の発光態様を制御する。例えば、光センサ１５の検出値が所定値以下になったらフラッシュランプ２２やＬＥＤ２１を点滅させるようにする。そして、光センサ１５の検出値が所定値より大きくなったらフラッシュランプ２２やＬＥＤ２１の点滅を中止するようにしてもよい。尚、この場合のＣＰＵ１０が、「第１の発光制御手段」に相当する。
【００５６】
また、上記構成の状況通信装置１では、送受信部５０で受信した他の状況通信装置１のセンサの検出値のデータは、バス８０を介してＣＰＵ１０に入力される。そして、ＣＰＵ１０は、受信した他の状況通信装置１のセンサの検出値に基づいて、フラッシュランプ２２やＬＥＤ２１の発光態様を制御する。例えば、受信した有るセンサの検出値が所定値以下になったらフラッシュランプ２２やＬＥＤ２１を点滅させるようにする。そして、その検出値が所定値より大きくなったらフラッシュランプ２２やＬＥＤ２１の点滅を中止するようにしてもよい。尚、この場合のＣＰＵ１０が、「第２の発光制御手段」に相当する。
【００５７】
次に、図８を参照して、本発明の第３の実施の形態について説明する。図８は、本発明の第３の実施の形態の状況通信装置１の光センサ１５が設けられた回路基板３５の縦断面図である。この第３の実施の形態では、回路基板３５と、発光手段であるフラッシュランプ２２が設けられた回路基板４２との間には、光を拡散する拡散シート３８が設けられている点以外は、第２の実施の形態の状況通信装置１と同様の構造である。
【００５８】
この本発明の第３の実施の形態では、図８に示すように、フラッシュランプ２２が設けられた回路基板４２が回路基板３５と平行に所定間隔を空けて図示外のブラケットにより固定されている。この回路基板４２上に設けられたフラッシュランプ２２は、回路基板３５のマーク３６が形成されている位置に対向するように回路基板４２の回路基板３５に対向した面上に設けられている。さらに、回路基板３５と回路基板４２との間には、光を拡散する拡散シート３８（「光拡散部材」に相当）が図示外のブラケットにより固定されている。この拡散シート３８は、光透過性のあるものであれば良く、例えば、白い合成樹脂製の光拡散シートや薄い布等を用いることができる。
【００５９】
この第３の実施の形態では、回路基板３５のマーク３６が貫通孔３６Ｂで形成されている場合は、フラッシュランプ２２が発光していない場合にも、貫通孔３６Ｂを通して拡散シート３８が見え、筐体２の外側からマーク３６が判別し易い。
【００６０】
また、回路基板３５のマーク３６が薄部３６Ｃで形成されている場合は、フラッシュランプ２２が発光していない場合にも、薄部３６Ｃを透過して拡散シート３８が見え、筐体２の外側からマーク３６が判別し易い。
【００６１】
次に、図９を参照して、本発明の第４の実施の形態について説明する。図９は、本発明の第４の実施の形態の状況通信装置１の光センサ１５が設けられた回路基板３５の縦断面図である。この第４の実施の形態では、回路基板３５と、発光手段であるフラッシュランプ２２が設けられた回路基板４２との間には、透過する光に着色をするカラーフィルタ３９が設けられている点以外は、第３の実施の形態の状況通信装置１と同様の構造である。
【００６２】
この本発明の第４の実施の形態では、図９に示すように、フラッシュランプ２２が設けられた回路基板４２が回路基板３５と平行に所定間隔を空けて図示外のブラケットにより固定されている。この回路基板４２上に設けられたフラッシュランプ２２は、回路基板３５のマーク３６が形成されている位置に対向するように回路基板４２の回路基板３５に対向した面上に設けられている。さらに、回路基板３５と回路基板４２との間には、透過する光に着色をするカラーフィルタ３９が図示外のブラケットにより固定されている。カラーフィルタ３９は、一例として、赤、黄、青等の任意の色に着色された光透過性を有する合成樹脂の薄板から構成される。
【００６３】
この第４の実施の形態では、回路基板３５のマーク３６が貫通孔３６Ｂで形成されている場合は、フラッシュランプ２２が発光することによって、カラーフィルタ３９の色に着色された光が貫通孔３６Ｂを通過して、マーク３６が美しく光ることになる。
【００６４】
また、回路基板３５のマーク３６が薄部３６Ｃで形成されている場合は、フラッシュランプ２２が発光することによって、カラーフィルタ３９の色に着色された光が薄部３６Ｃを透過してマーク３６が美しく光ることになる。
【００６５】
次に、図１０を参照して、本発明の第５の実施の形態について説明する。図１０は、本発明の第５の実施の形態の状況通信装置１の縦断面図である。この第５の実施の形態では、主基板１１０上にフラッシュランプ２２が設けられている点と、カラーフィルタ３９を回路基板３４，３５の裏面側に図示外のブラケットにより各々固定している点以外は、図３に示す第１の実施の形態と同様の構成となっている。
【００６６】
この第５の実施の形態では、主基板１１０上に設けた１つのフラッシュランプ２２により、状況通信装置１の筐体２内に設けられたセンサが設けられた回路基板３４，３５等のマーク３６を各回路基板３４，３５の裏面側に設けられたカラーフィルタ３９の色で着色された光で照らすことが可能となる。さらに、各回路基板に設けるカラーフィルタ３９の色を異ならせることにより、１つの光源（フラッシュランプ２２）で、各々異なった色で、各回路基板のマークを照らすことができる。また、この第５の実施の形態では、フラッシュランプ２２をマーク３６を照らす以外の他の用途に使う光源とすることもできる。尚、この場合には、マーク３６は、各カラーフィルタ３９の色で照らされるが、他の用途には、フラッシュランプ２２そのもの色の光を用いることができる。
【００６７】
次に、図１１を参照して、本発明の第６の実施の形態について説明する。図１１は、本発明の第６の実施の形態の状況通信装置１の縦断面図である。この第６の実施の形態の状況通信装置１では、筐体２内に、当該筐体２の内面に沿って、可撓性有するフレキシブル回路基板４１を、筐体２の内面に沿って円弧状に撓ませて固定し、そのフレキシブル回路基板４１上で筐体２の内面対向する面に、心拍センサ１４及び光センサ１５等の複数のセンサや各種アクチュエータを配置する。そして、フレキシブル回路基板４１上に設けた各センサやアクチュエータには、その種類を示すマークを上記第１〜第５の実施の形態と同様な方法で付しておく。このとき、フレキシブル回路基板４１は主基板１１０とコネクタ１１２で接続し、センサを駆動する電力はこのコネクタ１１２から供給すればよい。尚、フレキシブル回路基板４１の一例としては、ポリイミド樹脂からなる基板等を用いることができる。
【００６８】
この第６の実施の形態の状況通信装置１の場合には、１つ又は複数のセンサや複数のアクチュエータを１つの回路基板に搭載することができる。尚、第６の実施例では、筐体２は、図示外の支持部材により支持されて地球儀のように回転し、内部の回路基板は図示外のローラやベアリング等を用いて、その回転の影響を受けないようにしてもよい。
【００６９】
次に、図１２を参照して、本発明の第７の実施の形態について説明する。図１２は、本発明の第７の実施の形態の状況通信装置１の縦断面図である。この第７の実施の形態では、配線３２，配線３７を回路基板３４，３５の主基板１１０に近い側の端部から引き出している点が特徴である。
【００７０】
この第７の実施の形態の状況通信装置１では、心拍センサ１４が設けられた回路基板３４の裏面側に当該心拍センサ１４の出力端子が半田付けされる銅箔の配線パターン３４Ａが形成されている。当該配線パターン３４Ａは、心拍センサ１４の裏面から回路基板３４の主基板１１０側の端部まで延設されている。そして、その配線パターン３４Ａの端部に配線３２の一端部が半田付けされ、当該配線３２の他端部は、主基板１１０に半田付けされている。
【００７１】
また、第７の実施の形態の状況通信装置１では、光センサ１５が設けられた回路基板３５の裏面側にも当該光センサ１５の出力端子が半田付けされる銅箔の配線パターン３５Ａが形成されている。当該配線パターン３５Ａは、光センサ１５の裏面から回路基板３５の主基板１１０側の端部まで延設されている。そして、その配線パターン３５Ａの端部に配線３７の一端部が半田付けされ、当該配線３７の他端部は、主基板１１０に半田付けされている。
【００７２】
以上説明したように、第７の実施の形態の状況通信装置１では、回路基板３４，３５と主基板１１０とを接続する配線３２，３７を最短で接続でき、筐体２内で、配線３２，３７が長くなって美観を損なうことがない。
【００７３】
次に、図１３及び図１４を参照して、本発明の第８の実施の形態について説明する。図１３は、第８の実施の形態の状況通信装置１の感圧センサ１６が設けられた回路基板３１の縦断面図であり、図１４は、回路基板３１の平面図である。
【００７４】
この第８の実施の形態では、筐体２Ａが光透過性を有し（一例として、透明）、且つ、可撓性を有する合成樹脂材料から構成されている。そして、回路基板３１の筐体２Ａと対向する面に圧力を検出する感圧センサ１６が設けられ、当該感圧センサ１６の近傍に、センサ１６が感圧センサであることを示す指の絵のマーク３６Ｄが描かれている。それ以外の構造は、第１の実施の形態の状況通信装置１と同様の構造である。
【００７５】
この本発明の第８の実施の形態では、筐体２Ａが撓んで、感圧センサ１６を押下することができる。そして、感圧センサ１６の近傍に、指の絵のマーク３６Ｄが描かれているので、使用者はセンサ１６が、感圧センサであることを容易に理解できる。
【００７６】
なお、本発明の電子機器及び状況通信装置は、上記した実施の形態に限定されるものではなく、本発明の要旨を逸脱しない範囲内において種々変更を加えることができる。
【００７７】
上記実施の形態では、状況通信装置１は手のひらに納まるサイズの球体としているが、状況通信装置１の形状はこのようなものに限らず、任意の形状とすることができる。例えば、状況通信装置１の形状を立方体や直方体としてもよいし、楕円形状の断面を有する球体としてもよい。
【００７８】
また、「計測手段」として各種センサ１１〜１９を使用しているが、衝撃センサ、体温センサ、体脂肪センサ、血圧センサ、皮膚のしみを計測するセンサ、大気中の酸素濃度を計測するセンサ、大気中の二酸化炭素濃度を計測するセンサ等、種々の計測手段を用いてもよい。
【００７９】
また、上記実施の形態における、各種センサ１４〜１６の配置は一例に過ぎず、これらの部品の配置は設計者又は使用者の任意で変更可能であることはいうまでもない。さらに、センサの固定部材としては、回路基板に限られず、センサを保持するものであれば、合成樹脂や金属等の各種のブラケット等を用いることができる。
【００８０】
また、上記実施の形態では、筐体２の全体を光透過性部材にて構成したが、マーク３６に対向する筐体の一部分のみを光透過性部材としても良い。
【産業上の利用可能性】
【００８１】
本発明の電子機器及び状況通信装置は、各種センサや各種アクチュエータを具備した電子機器及び状況通信装置に利用可能である。
【図面の簡単な説明】
【００８２】
【図１】状況通信装置１の平面図である。
【図２】状況通信装置１の電気的構成を示すブロック図である。
【図３】図１のＡ−Ａ線に於ける矢視方向断面図である。
【図４】マーク３６が印刷で形成された場合の回路基板３５の縦断面図である。
【図５】マーク３６が貫通孔で形成された場合の回路基板３５の縦断面図である。
【図６】マーク３６が薄部で形成された場合の回路基板３５の縦断面図である。
【図７】本発明の第２の実施の形態の状況通信装置１の光センサ１５が設けられた回路基板３５の縦断面図である。
【図８】本発明の第３の実施の形態の状況通信装置１の光センサ１５が設けられた回路基板３５の縦断面図である。
【図９】本発明の第４の実施の形態の状況通信装置１の光センサ１５が設けられた回路基板３５の縦断面図である。
【図１０】本発明の第５の実施の形態の状況通信装置１の縦断面図である。
【図１１】本発明の第６の実施の形態の状況通信装置１の縦断面図である。
【図１２】本発明の第７の実施の形態の状況通信装置１の縦断面図である。
【図１３】第８の実施の形態の状況通信装置１の感圧センサ１６が設けられた回路基板３１の縦断面図である。
【図１４】回路基板３１の平面図である。
【符号の説明】
【００８３】
１    状況通信装置
２    筐体
１０    ＣＰＵ
１１    センサ
１２    加速度センサ
１３    温度センサ
１４    心拍センサ
１５    光センサ
１６    感圧センサ
１７    湿度センサ
１８    匂いセンサ
１９    マイク
２０    ＲＯＭ
２１    ＬＥＤ
２２    フラッシュランプ
２３    モーター
２４    ヒーター
２５    スピーカー
２７    匂い発生部
３０    ＲＡＭ
３１    回路基板
３２    当該配線
３２    配線
３３    マーク
３４    回路基板
３４Ａ  配線パターン
３５    回路基板
３５Ａ  配線パターン
３６    マーク
３６Ａ  印刷部
３６Ｂ  貫通孔
３６Ｃ  薄部
３６Ｄ  マーク
３７    配線
３８    拡散シート
３９    カラーフィルタ
４１    フレキシブル回路基板
４２    回路基板
【図１】
2007047099.tif 000003
【図２】
2007047099.tif 000004
【図３】
2007047099.tif 000005
【図４】
2007047099.tif 000006
【図５】
2007047099.tif 000007
【図６】
2007047099.tif 000008
【図７】
2007047099.tif 000009
【図８】
2007047099.tif 000010
【図９】
2007047099.tif 000011
【図１０】
2007047099.tif 000012
【図１１】
2007047099.tif 000013
【図１２】
2007047099.tif 000014
【図１３】
2007047099.tif 000015
【図１４】
2007047099.tif 000016